(57)【要約】      （修正有）【課題】容易な操作をもって規格化乃至整形されたマーキングを行うことを可能にし、マーキングの作業を楽しいものにする。【解決手段】表示画面を有し、所定の記録媒体に記録された文章を表示画面に表示させる表示装置と、ユーザーが表示画面上における指示点を指定入力するためのポインティング装置とを備える情報表示装置１０において、指示点の移動に合わせて指示点の軌跡を表示し、軌跡に基づいて文章中の１又は複数の文字を指定文字として特定する。指定文字の指定入力の完了が検出された場合には、軌跡を消去し、マーキングを表示することが好ましい。【選択図】図５
2008234085.tif 000002
【特許請求の範囲】
【請求項１】
表示画面を有し、所定の記録媒体に記録された文章を前記表示画面に表示させる表示装置と、
ユーザーが前記表示画面上における指示点を指定入力するためのポインティング装置とを備える情報表示装置であって、
前記指示点の移動に合わせて前記指示点の軌跡を前記表示画面に表示させる軌跡表示手段と、
前記軌跡に基づいて前記文章中の１又は複数の文字を指定文字として特定する指定文字特定手段とを備えることを特徴とする情報表示装置。
【請求項２】
所定の条件が満たされた場合に指定入力の完了を検出する入力完了検出手段と、
前記表示画面上において前記指定文字に対するマーキングを前記表示装置に表示させるマーキング手段とを更に備え、
前記入力完了検出手段が指定入力の完了を検出した場合に、前記軌跡表示手段が前記軌跡を消去させ、前記マーキング手段が前記指定文字に対するマーキングを前記表示画面に表示させることを特徴とする請求項１に記載の情報表示装置。
【請求項３】
個々の前記指定文字について、前記マーキングの態様の指定を受け付けるマーキング態様指定手段を更に備え、
前記マーキング手段は、それぞれの前記指定文字に対して、マーキング態様指定手段により受け付けられた態様で前記指定文字に対するマーキングを行うことを特徴とする請求項２に記載の情報表示装置。
【請求項４】
それぞれが１又は複数の前記指定文字を記録する複数の指定文字記録手段と、
一の前記指定文字記録手段に記録された前記指定文字に対するマーキングと、他の前記指定文字記録手段に記録された前記指定文字に対するマーキングとを対比して表示させる対比モードの指定を受け付ける対比モード選択手段とを更に備え、
前記対比モードが指定された場合には、前記マーキング手段は、一の前記指定文字記録手段に記録された前記指定文字に対するマーキングと、他の前記指定文字記録手段に記録された前記指定文字に対するマーキングとを同時に表示させることを特徴とする請求項２又は３に記載の情報表示装置。
【請求項５】
前記対比モード選択手段により前記対比モードの指定が受け付けられた場合には、前記マーキング手段は、一の前記指定文字記録手段に記録された前記指定文字に対するマーキングと、他の前記指定文字記録手段に記録された前記指定文字に対するマーキングとをそれぞれ異なる態様で表示させることを特徴とする請求項４に記載の情報表示装置。
【請求項６】
前記指定文字特定手段は、所定の構文単位で前記指定文字の特定を行うことを特徴とする請求項１〜５のいずれか一項に記載の情報表示装置。
【請求項７】
前記文章は、前記構文単位で前記文章を区切る区切り情報が設定された状態で前記所定の記録媒体に記録されていることを特徴とする請求項６に記載の情報表示装置。
【請求項８】
前記表示画面において前記文章は複数行で表示され、
前記指定文字特定手段は、前記軌跡の開始点が位置する行内において前記指定文字を特定することを特徴とする請求項１〜７のいずれか一項に記載の情報表示装置。
【請求項９】
前記文章がクイズの問題の少なくとも一部であり、前記指定文字の指定により前記問題に対する解答の受け付けが行われることを特徴とする請求項１〜８のいずれか一項に記載の情報表示装置。
【請求項１０】
前記指定文字を前記表示画面か、別途設けられた他の表示画面に表示させる指定文字表示手段を更に備えることを特徴とする請求項１〜９に記載の情報表示装置。
【請求項１１】
表示画面を有し、所定の記録媒体に記録された文章を前記表示画面に表示させる表示装置と、ユーザーが前記表示画面上における指示点を指定入力するためのポインティング装置とを備える情報表示装置を用いた情報表示方法であって、
前記指示点の移動に合わせて前記指示点の軌跡を前記表示画面に表示させる軌跡表示手順と、
前記軌跡に基づいて前記文章中の１又は複数の文字を指定文字として特定する指定文字特定手順とを備えることを特徴とする情報表示方法。
【請求項１２】
表示画面を有し、所定の記録媒体に記録された文章を前記表示画面に表示させる表示装置と、ユーザーが前記表示画面上における指示点を指定入力するためのポインティング装置とを備える情報表示装置に実装されるコンピュータにおいて実行される情報表示プログラムであって、
前記指示点の移動に合わせて前記指示点の軌跡を前記表示装置に表示させる軌跡表示手順と、
前記軌跡に基づいて前記文章中の１又は複数の文字を指定文字として特定する指定文字特定手順とを前記コンピュータに実行させることを特徴とする情報表示プログラム。
【請求項１３】
表示画面を有し、所定の記録媒体に記録された文章を前記表示画面に表示させる表示装置と、ユーザーが前記表示画面上における指示点を指定入力するためのポインティング装置とを備える情報表示装置に実装されるコンピュータにおいて実行される情報表示プログラムを記録したコンピュータ読み取り可能な記録媒体であって、
前記指示点の移動に合わせて前記指示点の軌跡を前記表示装置に表示させる軌跡表示手順と、
前記軌跡に基づいて前記文章中の１又は複数の文字を指定文字として特定する指定文字特定手順とを前記コンピュータに実行させることを特徴とする情報表示プログラムを記録したコンピュータ読み取り可能な記録媒体。
【発明の詳細な説明】
【技術分野】
【０００１】
本発明は、いわゆる電子書籍などの情報表示装置、情報表示方法、情報表示プログラム及びその記録媒体に関し、特に、小説などを始めとする文章を表示することができる情報表示装置、情報表示方法、情報表示プログラム及びその記録媒体に関する。
【背景技術】
【０００２】
情報表示装置は、所定の記録媒体に記録された文章などの情報を読み込んで表示画面上に表示させる電子機器であり、紙に情報を印刷して表示する等の従来の方式に代わる新たな情報の伝達手段、取得手段として普及、拡大が見込まれている。情報表示装置の中でも、小説などの文章を表示させる電子書籍は、紙の書籍を読むのと同じような感覚で読書をすることが可能であるとともに、大量の情報をコンパクトに持ち運ぶことができ、検索や編集等を容易に行うことができるなど、文章データの電子化による種々の利便性をも享受することができる。
【０００３】
ところで、紙の書籍においては、文字や図表にカラーペンや蛍光ペンなどの筆記具で、傍線や丸囲みなどのマーキングを施すことが可能であり、同様の機能を情報表示装置において実現することが検討されている（特許文献１）。
【０００４】
しかしながら、情報表示装置では、紙の上でマーキングを行う場合と異なり、スタイラスなどのペン型指示器具やマウスなどを用いた操作によりマーキングが行われるため、定規で引いたようなきれいなマーキングを行うことは容易ではない。また、文字の表示サイズなどによっては、マーキングを施したいと思った文字からはみ出して線が引かれたり、線が短くなったりして、ユーザーの思い通りのマーキングを行うことが難しい。更に、ユーザーによっては、紙の書籍上でマーキングを行う場合との感覚の違いから、情報表示装置上においてマーキングを行う行為に違和感や味気なさを覚える場合がある。
【特許文献１】特開２００６−０３９７８３号公報
【発明の開示】
【発明が解決しようとする課題】
【０００５】
本発明は、上記問題に鑑みてなされたものであり、下記のいずれか１以上を達成することをその目的とする。
【０００６】
即ち、本発明の目的は、容易な操作をもって、きれいな直線や楕円などの規格化乃至整形されたマーキングを行うことが可能な情報表示装置、情報表示方法、情報表示プログラム及びこれを記録した記録媒体を提供することにある。
【０００７】
本発明の他の目的は、ユーザーがマーキングを施したいと思った文字を適切に修飾することが容易な情報表示装置、情報表示方法、情報表示プログラム及びこれを記録した記録媒体を提供することにある。
【０００８】
本発明の更に他の目的は、マーキングの作業を楽しいものにし、マーキングをすることによって、面白み、爽快感或いは気持ち良さを感じることができる情報表示装置、情報表示方法、情報表示プログラム及びこれを記録した記録媒体を提供することにある。
【０００９】
本発明の更に他の目的は、マーキングの作業を楽しいものにすることによって、電子的な装置上でマーキングをすることに対してユーザーが覚える場合のある違和感や味気なさを軽減することができる情報表示装置、情報表示方法、情報表示プログラム及びこれを記録した記録媒体を提供することにある。
【００１０】
本発明の更に他の目的は、クイズの問題が出題され、その問題に対して容易な態様で解答を行うことができる情報表示装置、情報表示方法、情報表示プログラム及びこれを記録した記録媒体を提供することにある。
【課題を解決するための手段】
【００１１】
本発明は、上記課題を解決したものであり、
表示画面を有し、所定の記録媒体に記録された文章を前記表示画面に表示させる表示装置と、
ユーザーが前記表示画面上における指示点を指定入力するためのポインティング装置とを備える情報表示装置であって、
前記指示点の移動に合わせて前記指示点の軌跡を前記表示装置に表示させる軌跡表示手段と、
前記軌跡に基づいて前記文章中の１又は複数の文字を指定文字として特定する指定文字特定手段とを備えることを特徴とする情報表示装置（請求項１）、或いは、
表示画面を有し、所定の記録媒体に記録された文章を前記表示画面に表示させる表示装置と、ユーザーが前記表示画面上における指示点を指定入力するためのポインティング装置とを備える情報表示装置を用いた情報表示方法であって、
前記指示点の移動に合わせて前記指示点の軌跡を前記表示装置に表示させる軌跡表示手順と、
前記軌跡に基づいて前記文章中の１又は複数の文字を指定文字として特定する指定文字特定手順とを備えることを特徴とする情報表示方法（請求項１１）、或いは、
表示画面を有し、所定の記録媒体に記録された文章を前記表示画面に表示させる表示装置と、ユーザーが前記表示画面上における指示点を指定入力するためのポインティング装置とを備える情報表示装置に実装されるコンピュータにおいて実行される情報表示プログラムであって、
前記指示点の移動に合わせて前記指示点の軌跡を前記表示装置に表示させる軌跡表示手順と、
前記軌跡に基づいて前記文章中の１又は複数の文字を指定文字として特定する指定文字特定手順とを前記コンピュータに実行させることを特徴とする情報表示プログラム（請求項１２）、或いはこれを記録したコンピュータ読み取り可能な記録媒体（請求項１３）である。
【００１２】
本発明のポインティング装置は、タッチパネルやデジタイザ、マウスなど、ユーザーにより指定される表示画面上の位置の検出を可能とすることができる任意の装置であり、非接触で表示画面上の位置を指示可能なポインティング装置であっても良い。
【００１３】
本発明の指定文字特定手段は、ユーザーにより指定される表示画面上の指示点が移動したときの当該指示点の軌跡に基づいて指定文字を特定するものであり、具体的な指定文字の特定方法としては、（１）表示画面に表示される文字のうちで、軌跡と交差又は接触する全ての文字を指定文字として特定する方法、（２）表示画面を複数の矩形の文字表示領域に区画し、各文字表示領域内に１文字を表示する場合において、軌跡が通過した文字表示領域に表示される文字の全てを指定文字として特定する方法、（３）上記の文字表示領域のうち、一定長以上の軌跡を含む文字表示領域に表示される文字を指定文字として特定する方法など種々の方法を例示することができ、指定文字特定手段は、そのような任意の方法により指定文字を特定するものとすることができる。
【００１４】
本発明によれば、ユーザーは、指示点の軌跡を視認しつつ指定文字の指定を行うことができるため、指定文字の指定作業を容易化することが可能である。
【００１５】
本発明では、所定の条件が満たされた場合に指定入力の完了を検出する入力完了検出手段と、前記表示画面上において前記指定文字に対するマーキングを行うマーキング手段とを更に備え、前記入力完了検出手段が指定入力の完了を検出した場合に、前記軌跡表示手段が前記軌跡を消去させ、前記マーキング手段が前記指定文字に対するマーキングを前記表示装置に表示させること（請求項２）が好ましい。
【００１６】
かかる発明では、ポインティング装置を用いて表示画面に表示される文章上に指示点の軌跡を描くことにより指定した指定文字にマーキングが表示されるため、ユーザーは、紙に印刷された文章を読む場合と同じように、文章中における印象に残った部分、面白く感じた部分、重要であると思った部分などにマーキングを施しながら文章を読むことが可能になる。
【００１７】
また、本発明では、文章上において指示点の軌跡が描画されるため、ユーザーは、文章中のどの部分を指定したかを視覚的に確認しながらマーキングを行うことが可能である。
【００１８】
更に、本発明では、入力完了検知手段により指定入力の完了が検知された場合には、表示画面上において、指示点の軌跡が消去されて指定文字に対するマーキングが行われる。ここで、指示点の軌跡は、ユーザーがポインティング装置を用いて入力するものであるために、蛇行や折れ曲がりなどが含まれるフリーハンド的なラインとなるのに対して、マーキング手段によるマーキングは、直線度、曲率、線幅、色彩、指定文字の表示位置に対する相対的な位置関係などにおいて規格化乃至整形された表示とすることが可能である。従って、フリーハンド的なラインが規格化され、整形されたマーキングに変換される様によって、ユーザーは、面白み、爽快感、或いは気持ち良さをなどを感じつつ文章へのマーキングを行うことが可能になる。
【００１９】
本発明における入力完了検出手段は、所定の条件が満たされた場合に指示点の移動の完了を検出するものであるが、ここでの所定の条件としては、例えば、（１）ポインティング装置がスタイラス等の接触により指示点を検出するタッチパネルである場合には、タッチパネルからスタイラスが離れたことを所定の条件とし、（２）表示画面に複数行の文章が表示される場合には、軌跡の開始点が位置する行の外に指示点が移動したことを所定の条件にするなどを例示することができる。接触により指示点を検出しない、マウスなどの場合は、ボタン操作などを条件としてもよい。
【００２０】
本発明におけるマーキングは、指定文字に付される視覚的に認識可能な目印、標識又は修飾であり、具体的なマーキングの態様としては、指定文字に対して所定の位置関係をもって表示される無彩色の又は各種色彩が付された傍線、傍点、下線、消し線、丸囲み、四角囲み等の線図、指定文字の文字色や背景色の変更などを例示することができる。
【００２１】
本発明では、個々の前記指定文字について、前記マーキングの態様の指定を受け付けるマーキング態様指定手段を更に備え、前記マーキング手段は、それぞれの前記指定文字に対して、マーキング態様指定手段により受け付けられた態様で前記指定文字に対するマーキングを行うこと（請求項３）が好ましく、これにより、文章中における印象に残った部分、面白く感じた部分、重要であると思った部分などにそれぞれ異なる態様のマーキングを施すことが可能となり、文章の内容の整理や文章に対する理解を深めるなどに役立てることが可能になる。
【００２２】
本発明では、それぞれが１又は複数の前記指定文字を記録する複数の指定文字記録手段と、一の前記指定文字記録手段に記録された前記指定文字に対するマーキングと、他の前記指定文字記録手段に記録された前記指定文字に対するマーキングとを対比して表示させる対比モードの指定を受け付ける対比モード選択手段とを更に備え、前記対比モードが指定された場合には、前記マーキング手段は、一の前記指定文字記録手段に記録された前記指定文字に対するマーキングと、他の前記指定文字記録手段に記録された前記指定文字に対するマーキングとを同時に表示させること（請求項４）が好ましい。
【００２３】
かかる発明では、本発明の情報表示装置を用いて２人（又は３人以上）のユーザーが、文章中における印象に残った部分、面白く感じた部分、重要であると思った部分などにマーキングを施しつつ読書を行った場合に、それぞれのユーザーがマーキングを施した部分（指定文字）やマーキングの種類を対比し、他のユーザーの読書感を楽しんだり、参考にしながら読書を行うなど、従来にない新たな読書の形態を提供することができる。
【００２４】
或いは、期間を置いて同じ文章を２度読んだ場合に、過去に読んだときのマーキングと、今回読んだときのマーキングを対比し、その文章に対する自身の理解の仕方や読書感の変化を楽しみながら読書を行うなど、従来にない新たな読書の形態を提供することができる。
【００２５】
この場合、前記対比モード選択手段により前記対比モードの指定が受け付けられたときに、前記マーキング手段は、一の前記指定文字記録手段に記録された前記指定文字に対するマーキングと、他の前記指定文字記録手段に記録された前記指定文字に対するマーキングとをそれぞれ異なる態様で表示させること（請求項５）が好ましく、これにより、他のユーザーが施したマーキングとの対比や、過去に読んだときと今回読んだときのマーキングの対比などを分かり易くすることができる。
【００２６】
本発明では、前記指定文字特定手段は、所定の構文単位で前記指定文字の特定を行うこと（請求項６）が好ましい。
【００２７】
本発明における構文単位とは、単語、文節、句、段落などの文章を構成する何らかの意味での纏まりを形成する一塊りの文字（１又は複数の文字の集合）である。
【００２８】
一般には、文章中の特定の一部分を指定する作業は、その部分を編集したり、マーキングを施すなどを目的として行われる場合が多いが、そのような目的の下では、意味上や文法上など、何らかの意味での纏まりのある一塊りの文字（単語、文節、句、段落など）単位で指定することが便宜であると考えられる。
【００２９】
本発明の指定文字特定手段は、そのような纏まりのある一塊りの文字（単語、文節、句、段落など）を単位として指定文字を特定するため、上記のような目的をもって文章の一部分を指定する作業を容易化することができる。
【００３０】
なお、本発明の指定文字特定手段は、文章のある部分では単語単位で指定文字を特定し、他の部分では段落単位で指定文字を特定するなど、単一の文章中において複数種類の構文単位で指定文字を特定するよう構成しても構わない。
【００３１】
本発明では、前記文章は、前記構文単位で前記文章を区切る区切り情報が設定された状態で前記所定の記録媒体に記録されていること（請求項７）が好ましい。
【００３２】
即ち、指定文字特定手段が構文単位で指定文字の特定を行うに際しては、例えば、「http://chasen.naist.jp/hiki/ChaSen/」において入手できる「茶筅」などの適当な構文解析ツールを用いて文章を分解することにより得られる所定の構文単位毎に指定文字を特定することも可能であるが、情報表示装置において上記のようなツールによる構文解析と、指定文字の特定やマーキングの表示などの処理とを並行して実行すると、計算負荷が過大となる場合が考えられる。また、上記のようなツールによる自動解析では、必ずしもユーザーの使用目的に適合した適切な構文単位に文章を分解できない場合がある。従って、小説のような、予め用意された文章であれば、構文単位で文章を区切る区切り情報を予め設定した文章を使用することにより、情報処理装置における計算負荷を軽減することが可能となり、或いはユーザーの使用目的に適合した適切な構文単位での指定文字の特定を確実に行うことが可能となる。
【００３３】
なお、本発明における区切り情報は、全てマニュアル操作により設定することも可能であり、或いは何らかの構文解析ツールを用いた自動解析により各構文単位に区切り情報を設定することも可能であり、或いは上記のような構文解析ツールを用いた自動解析により各構文単位に区切り情報を設定した後に、マニュアル操作での手直しを行う態様で区切り情報を追加、削除することで区切り情報を整備することも可能である。
【００３４】
本発明では、前記表示画面において前記文章は複数行で表示され、前記指定文字特定手段は、前記軌跡の開始点が位置する行内において前記指定文字を特定すること（請求項８）が好ましく、これにより、指定文字の指定作業を容易にすることができる。
【００３５】
本発明では、前記文章がクイズの問題の少なくとも一部であり、前記指定文字の指定により前記問題に対する解答の受け付けが行われるもの（請求項９）とし、或いは更に、前記指定文字を前記表示画面か、別途設けられた他の表示画面に表示させる指定文字表示手段を更に備えるもの（請求項１０）とすることができ、これにより、クイズの解答の入力を容易にし、新鮮かつ面白みのある態様でのクイズに対する解答の入力が可能になる。
【発明を実施するための最良の形態】
【００３６】
以下、添付図面に基づいて本発明の実施形態を説明する。
【００３７】
図１は本発明の１実施形態に係る情報表示装置１０、又は本発明の１実施形態に係る情報表示プログラムにより動作する情報表示装置１０、又は本発明の１実施形態に係る情報表示方法を実行することができる情報表示装置１０の外観構成を示す斜視説明図である。
【００３８】
図示されるように、情報表示装置１０は、上側筐体１１ａ及び下側筐体１１ｂを有している。
【００３９】
上側筐体１１ａには、表示画面１２ａを有する第１表示装置１２が取り付けられている。
【００４０】
下側筐体１１ｂには、表示画面１３ａと、当該表示画面１３ａを覆うタッチパネル１３ｂを有する第２表示装置１３が取り付けられており、表示画面１３ａの表面に指先やスタイラス１７などを接触させたときに、表示画面１３ａ上における接触位置（ＸＹ座標）が指示点としてタッチパネル１３ｂにより検出される。
【００４１】
上記表示画面１２ａ、１３ａの画像表示の解像度や、タッチパネル１３ｂにおける接触位置の解像度（検出精度）はいずれも任意とすることができるが、本実施形態においては、表示画面１２ａ、１３ａの解像度はともに２５６ｄｏｔ×１９２ｄｏｔであり、タッチパネル１３ｂは、表示画面１３ａの解像度と同じ２５６ｄｏｔ×１９２ｄｏｔの解像度で表示画面１３ａ上の接触位置を検出できる仕様とされている。
【００４２】
表示装置１２、１３は、液晶ディスプレイやＣＲＴなどの任意の表示装置により構成することが可能であり、タッチパネル１３ｂには、抵抗膜方式や静電容量方式など任意のタイプのものを使用することが可能である。
【００４３】
下側筐体１１ｂは更に、電源スイッチ１４ａ、十字キー１４ｂ、スタートボタン１４ｃ、セレクトボタン１４ｄ、Ａボタン１４ｅ、Ｂボタン１４ｆ、Ｘボタン１４ｇ、Ｙボタン１４ｈ、Ｌボタン１４ｉおよびＲボタン１４ｊなどの操作部材を備え、上側筐体１１ａには、左右のスピーカ１５ａ、１５ｂの音声を出力するためのスピーカ口１５が形成されている。
【００４４】
下側筐体１１ｂの背面には、本発明に係る情報表示プログラムＰや表示画面１３ａにおいて表示される文章のためのデータＤａ〜Ｄｎを記録した記録媒体であるメモリーカード１６やスタイラス１７を収納するための挿入口が設けられている。
【００４５】
図２は、上記情報表示装置１０のハードウェア構成を示す説明図である。
【００４６】
図示のように、この情報表示装置１０には、制御手段としてのＣＰＵ（Central Processing Unit、中央処理装置）２１が搭載され、当該ＣＰＵ２１にはシステムバス２２を介してＲＯＭ２３、ＲＡＭ２４、第１ＧＰＵ２５ａ、第２ＧＰＵ２５ｂ、記録媒体ドライブ２６、入出力回路２７が接続されている。
【００４７】
ここで、ＣＰＵ２１は、情報表示装置１０の制御動作の中枢となり、システムバス２２を介して他の構成要素と制御信号やデータ信号等の受け渡しを行って装置全体を統括的に制御する中央演算処理装置であり、メモリーカード１６上の複数の文章データＤａ〜Ｄｎから選択されてＲＡＭ２４上に読み込まれたいずれかの文章データＤを表示画面１３ａにおいて表示させ、本発明に係る情報表示プログラムＰやタッチパネル１３ｂなどからの信号に従って、表示画面１３ａ上に表示される文章に対するマーキングを行うなどの処理を実行するものである。
【００４８】
ＲＯＭ２３は、装置の起動時に使用する起動用プログラムや装置を動かすための基本的なシステムプログラム等を格納する読み出し用のメモリである。
【００４９】
ＲＡＭ２４は、メモリーカード１６から読み出した情報表示プログラムＰを展開する領域、メモリーカード１６から読み込まれた文章データＤを記録する領域、作業中のデータを一時記録するための領域などをＣＰＵ２１に提供する書き換え可能な揮発性又は不揮発性のメモリである。
【００５０】
第１ＧＰＵ２５ａは、情報表示プログラムＰにより指定される所定のアルゴリズムに従って参考画面などを表示するための画像データを生成し、これを第１ＶＲＡＭ２８ａに描画する処理を実行する。第２ＧＰＵ２５ｂは、同様に、情報表示プログラムＰにより指定される所定のアルゴリズムに従って、ＲＡＭ２４に記録される文章データＤに所定の処理を施して後述の文章画面６０などの画像データを生成し、これを第２ＶＲＡＭ２８ｂに描画する処理を実行する。
【００５１】
第１、第２ＶＲＡＭ２８ａ、２８ｂにはＬＣＤコントローラ２９が接続されており、ＬＣＤコントローラ２９は、ＣＰＵ２１からの指示に応じて、第１、第２ＶＲＡＭ２８ａ、２８ｂに描画された画像データを所定のフレームレートで第１、第２表示装置１２、１３に出力する。
【００５２】
記録媒体ドライブ２６は、メモリーカード１６のＲＯＭ領域１６ａに記録される情報表示プログラムＰや文章データＤａ〜Ｄｎの読み込みを行う他、指定文字記録手段４２に記録されたマーキングデータＭＤやしおりデータなどをメモリーカード１６のＲＡＭ領域１６ｂに書き込むなどの処理を行うものである。
【００５３】
入出力回路２７は、タッチパネル１３ｂやその他の操作部材１４ａ〜１４ｊからの操作信号を受信してＣＰＵ２１に送信し、ＣＰＵ２１において生成された音声信号をスピーカ１５ａ、１５ｂに出力するなどの処理を実行する。
【００５４】
なお、上記のような情報表示装置１０の構成は単なる一例に過ぎず、本発明は、タッチパネルやマウス等のポインティング装置と少なくとも１つの表示装置とを有する任意のコンピュータシステムに適用することができる。また、本発明のゲームプログラムＰや文章データＤなどは、メモリーカード１６などの外部記憶媒体を通じてコンピュータシステムに供給されるだけでなく、有線または無線の通信回線を通じてコンピュータシステムに供給されても良いし、コンピュータシステム内部の不揮発性記憶装置に予め記録されていても良い。
【００５５】
図３は、上記情報表示装置１０と組み合わせて好適に使用することができるメモリーカード１６に記録されるデータ構成を示す説明図である。
【００５６】
図示のように、メモリーカード１６は、ＲＯＭ領域１６ａ及びＲＡＭ領域１６ｂを備えており、ＲＯＭ領域１６ａには、本発明に係る情報表示プログラムＰ、複数の文章データＤａ〜Ｄｎ及び複数のクイズ問題及びその解答よりなるクイズデータＱが記録されている。
【００５７】
また、ＲＡＭ領域１６ｂには、指定文字記録手段４２に記録されたマーキングデータＭＤやしおりデータなどを記録できる３つのユーザーファイルＵＦａ〜ＵＦｃと、マーキングの手本となる手本マーキングデータＧＭＤや、各手本マーキングデータＧＭＤについての解説を表示するための解説データＧＣが記録される手本ファイルＧＦのための記録領域が確保されている。
【００５８】
図４は、ＲＡＭ２４に記録される文章データＤａ〜Ｄｎの例示的なデータ形式を概念的に示す説明図である。
【００５９】
図４に例示される文章データは、太宰治作の小説「走れメロス」の文章データＤａであり、当該小説を構成する日本語の文章がテキスト形式で記録されている。また、当該テキストの文章中に挿入された「／」とこれに続く数字よりなる符号Ｄ１は、文章を所定の構文単位で区切る区切り情報であり、符号Ｄ１中の数字の部分は各構文単位を一意に識別するための識別番号である。即ち、文章データＤａ冒頭の「メロス」の３文字は識別番号が「１」の構文単位であり、これに続く「は」の１文字及び「激怒」の２文字は、それぞれ識別番号が「２」及び「３」の構文単位である。なお、本実施形態では、構文単位として単語に近い概念が使用されており、構文解析ツールである「茶筅」によって「走れメロス」の文章を単語毎に分解し、更に、一般のユーザーがこの文章にマーキングを施す場合に、一括してマーキングできれば便利に感じるであろう単位（何らかの纏まりのある意味を読み取ることができる単位）に文章が区切られるように、マニュアル操作（手作業）により適宜、区切り情報Ｄ１の追加、削除が行われている。また、文章データＤａ中の「／ｒ」の符号Ｄ２はルビを示している。
【００６０】
図５は、ＣＰＵ２１が本発明に係る情報表示プログラムＰをＲＡＭ２４上において展開、実行することにより実現される機能構成を示す説明図である。
【００６１】
図示のように、情報表示装置１０は、動作選択手段３０、文章表示手段３１、メニュー処理手段３２、指示点検出手段３３、軌跡表示手段３４、入力完了検出手段３５、指定文字特定手段３６、マーキング手段３７、マーキング消去手段３８、マーキング対比手段３９及びクイズ手段４０と、ＲＡＭ２４において所定のデータ記録を行う文章記録手段４１、指定文字記録手段４２及び対比指定文字記録手段４３とを備えている。
【００６２】
動作選択手段３０は、情報表示装置１０の電源スイッチ１４ａが投入された時点で表示画面１３ａに表示されるメインメニュー画面５０でのスタイラス１７による操作に従って、情報表示装置１０において実行される処理の選択を受け付けるものである。
【００６３】
図６（Ａ）は、上記メインメニュー画面５０の例示的な構成を示す説明図である。
【００６４】
図示のように、メインメニュー画面５０には、「名作を読む」及び「日本語ドリル」２つの選択項目５０ａ、５０ｂが表示されており、スタイラス１７でいずれかの選択項目５０ａ、５０ｂをタッチすることにより、動作選択手段３０は、それぞれに割り当てられた動作を実行する。
【００６５】
即ち、「名作を読む」の選択項目５０ａがタッチされた場合には、動作選択手段３０は、表示画面１３ａの表示を図６（Ｂ）に示す文章選択画面５１に切り替え、当該文章選択画面５１に表示される文章選択肢５１ａ〜５１ｎのいずれかがスタイラス１７により指定された場合には、指定された文章選択肢５１ａ〜５１ｎに対応する文章データＤａ〜Ｄｎをメモリーカード１６から文章記録手段４１に複写する処理を実行し、表示画面１３ａにおいて当該複写された文章データＤａ〜Ｄｎの表示を実行させるべく、所定の文章表示信号を文章表示手段３１に送信する。なお、図６（Ｂ）の文章選択画面５１では、５つの文章選択肢５１ａ〜５１ｅのみが表示されているが、上下方向ボタン５２ａ、５２ｂをスタイラス１７で操作することにより、１画面で表示できない他の文章選択肢５１ｆ〜５１ｎをスクロール表示させることが可能である。
【００６６】
また、メインメニュー画面５０において「日本語ドリル」の選択項目５０ｂがタッチされた場合には、動作選択手段３０は、表示画面１３ａ上でのクイズの問題の出題とユーザーにより入力されるその問題に対する解答の受け付けを実行させるべく、所定のクイズ信号をクイズ手段４０に送信する。
【００６７】
文章表示手段３１は、動作選択手段３０からの上記文章表示信号を受信することにより起動し、文章記録手段４１に記録されるいずれかの文章データＤａ〜Ｄｎに基づいて、表示画面１３ａに文章画面６０を表示するための画像データを生成する処理を実行するものである。なお、以下の説明では、文章記録手段４１には文章データＤａが記録されているものとして説明する。
【００６８】
図７（Ａ）は、文章表示手段３１により表示される文章画面６０の例示的な態様を示す説明図であり、文章画面６０は、文章記録手段４１に記録された文章データＤａにおける特定ページの文章が複数行Ｌ１〜Ｌ９に渡って表示される文章表示部６１と、複数のメニュータブ６２ａ〜６２ｃ及び頁ボタン６２ｄが表示されるメニュー部６２から構成されている。
【００６９】
なお、本実施形態では、文章表示手段３１、メニュー処理手段３２、軌跡表示手段３４、マーキング手段３７などにより生成される画像データは、それぞれ異なるレイヤーデータとして第２ＶＲＡＭ２８ｂに記録され、ＬＣＤコントローラ２９はその複数のレイヤーデータが重ね合わされた画像データを表示画面１３ａに出力するものとされており、第２ＶＲＡＭ２８ｂにおいては、上記文章表示部６１の画像は文章レイヤーのデータとして、上記メニュー部６２の画像はメニューレイヤーの画像として記録される。
【００７０】
また、図７（Ａ）では、マトリクス状に区画された９行１２段計１０８個の矩形のマス目Ｒが破線で示されているが、このマス目Ｒは、１文字が表示される表示画面１３ａ上の領域である文字表示領域を示すための説明線であり、表示画面１３ａに当該文字表示領域Ｒを示すための表示が現実になされる訳ではない。
【００７１】
文章画面６０のメニュー部６２において、頁ボタン６２ｄがスタイラス１７により操作された場合、文章表示手段３１は、文章データＤａにおける前ページ又は次ページの部分の文章を文章表示部６１に表示させる処理を実行する。
【００７２】
メニュー処理手段３２は、文章画面６０におけるメニュー部６２でのスタイラス１７による操作に従って各種メニュー操作を受け付けるものであり、マーキング態様指定手段３２ａ、補助機能処理手段３２ｂ及び表示設定手段３２ｃを有している。
【００７３】
マーキング態様指定手段３２ａは、指定文字に対して行われるマーキングＭの表示態様の指定を受け付けるものである。具体的には、マーキング態様指定手段３２ａは、メニュー部６２のペンタブ６２ａがスタイラス１７で操作されると、図７（Ｂ）に示すように、ペンタブ６２ａからメニューパレット６３を展開させ、当該パレット６３において、赤ボタン６３ａ、青ボタン６３ｂ及び緑ボタン６３ｃのいずれかがタッチされると、以降の指定入力によって特定される指定文字についてのマーキングＭの表示色をそれぞれ、「赤」、「青」及び「緑」に設定し、線種ボタン６３ｄがタッチされる毎に、以降のマーキングＭの形状を「直線」と「丸囲み」の間で変更する処理を実行する。また、消しゴムボタン６３ｅがタッチされた場合には、マーキング態様指定手段３２ａは、マーキングの消去を実行させるべく、所定の消去信号をマーキング消去手段３８に送信する。メニューパレット６３において閉ボタン６３ｆがタッチされると、マーキング態様指定手段３２ａはメニューパレット６３を閉じ、表示画面１３ａの表示を図７（Ａ）の状態に復帰させる。
【００７４】
補助機能処理手段３２ｂは、しおりの設定、マーキングデータのメモリーカード１６への記録、用語解説の表示、対比モードの指定などの各種機能の受け付けを実行するものである。具体的には、メニュー部６２の補助機能タブ６２ｂがスタイラス１７で操作されると、補助機能処理手段３２ｂは、図７（Ｃ）に示すように、メニュー部６２からメニューパレット６４を展開させ、当該パレット６４において、しおりボタン６４ａがタッチされると、その時点で表示されているページにしおりを設定する処理を実行する。
【００７５】
パレット６４においてファイルボタン６４ｂがタッチされると、補助機能処理手段３２ｂは、ファイルボタン６４ｂからサブメニュー６５を展開させ、それまでの操作により入力されたユーザーデータのメモリーカード１６への記録処理を実行する。
【００７６】
図８（Ａ）は、上記サブメニュー６５の例示的な態様を示す説明図である。
【００７７】
図示のように、サブメニュー６５には、保存先のファイル６５ａ〜６５ｃが３種類表示されており、スタイラス１７でいずれかのファイル６５ａ〜６５ｃが選択されると、補助機能処理手段３２ｂは、メモリーカード１６における対応するユーザーファイルＵＦａ〜ＵＦｃに指定文字記録手段４２に記録されたマーキングデータＭＤやしおりデータなどのユーザーデータを記録する処理を実行する。
【００７８】
従って、本実施形態の情報表示装置１０を複数のユーザーが使用する場合には、それぞれのユーザーにより設定されたマーキングデータＭＤをそれぞれ別々のユーザーファイルＵＦａ〜ＵＦｃに記録することができる。有線または無線の通信回線を通じて、もしくは外部記憶媒体を介して、他のユーザーにより設定されたマーキングデータＭＤを取得するようにしてもよい。また、本実施形態の情報表示装置１０を一人で使用する場合において、ある時期に文章データＤａの文章を読書した際のマーキングデータＭＤを例えばユーザーファイルＵＦａに記録し、その時期から期間を置いて再度文章データＤａの文章を読書した際のマーキングデータＭＤを例えばユーザーファイルＵＦｂに記録するなど、読書をした時期毎のマーキングデータＭＤをそれぞれ別々のユーザーファイルＵＦａ〜ＵＦｃに記録することも可能である。
【００７９】
パレット６４において解説ボタン６４ｃがタッチされると、補助機能処理手段３２ｂは、文章中の用語の解説などを例えば表示装置１２において表示させるなどの処理を実行する。
【００８０】
パレット６４において対比ボタン６４ｄがタッチされると、補助機能処理手段３２ｂは、当該対比ボタン６４ｄからサブメニュー６６を展開させ、マーキングＭの対比表示を行う相手方のデータ指定を受け付ける処理を実行する。
【００８１】
図８（Ｂ）は、上記サブメニュー６６の例示的な態様を示す説明図である。
【００８２】
図示のように、サブメニュー６６には、マーキングの対比表示を行う相手方のデータとして、手本ファイル６６ａ及び３つのユーザーファイル６６ｂ〜６６ｄが表示されており、スタイラス１７による操作で手本ファイル６６ａが選択された場合には、補助機能処理手段３２ｂは、メモリーカード１６の手本ファイルＧＦにおける手本マーキングデータＧＭＤ及び解説データＧＣを対比指定文字記録手段４３に複写し、ユーザーファイル６６ｂ〜６６ｄのいずれかが選択された場合には、メモリーカード１６の対応するユーザーファイルＵＦａ〜ＵＦｃにおけるマーキングデータＭＤを対比指定文字記録手段４３に複写する処理を実行する。
【００８３】
補助機能処理手段３２ｂは、上記のデータ複写を行った後、文章表示部６１におけるマーキングの対比表示を実行させるべく、所定の対比信号をマーキング対比手段３９に送信する。
【００８４】
表示設定手段３２ｃは、メニュー部６２の設定タブ６２ｃがスタイラス１７で操作された場合に動作し、文章表示部６１に表示される文章の文字フォントの種類やサイズ等の指定を受け付けるものである。
【００８５】
指示点検出手段３３は、タッチパネル１３ｂから出力される信号に基づいて、スタイラス１７が接触した表示画面１３ａ上の指示点の位置座標を導出し、これを軌跡表示手段３４、入力完了検出手段３５、指定文字特定手段３６及びマーキング消去手段３８に通知するものである。
【００８６】
軌跡表示手段３４は、指示点検出手段３３から時々刻々通知される指示点の位置座標に基づいて指示点の軌跡の画像を描画する処理を実行し、入力完了検出手段３５から所定の入力完了信号を受信する毎に、それまでに描画した軌跡を消去する処理を実行する。
【００８７】
入力完了検出手段３５は、所定の条件が成立した場合に上記入力完了信号を軌跡表示手段３４及び指定文字特定手段３６に送信するものである。
【００８８】
本発明における上記所定の条件は、１つの指定文字を指定するためのユーザーによる指定入力の完了を合理的に推認できる任意の条件とすることができるが、本実施形態の入力完了検出手段３５は、指示点検出手段３３から最初の位置座標の通知があった以降に、位置座標の通知が無くなった時点で上記所定の条件の成立を判定するものとされている。
【００８９】
指定文字特定手段３６は、入力完了検出手段３５からの入力完了信号の受信により動作し、軌跡表示手段３４により描画された軌跡（入力完了信号を受信するまでに指示点検出手段３３から通知された全ての位置座標）に基づいて指定文字の特定を行い、特定した指定文字についてのマーキングデータＭＤを指定文字記録手段４２に記録するものである。
【００９０】
本発明における軌跡に基づく指定文字の特定方法は、軌跡と特定される指定文字との対応にユーザーが大きな違和感を感じない方法である限り任意とすることができるが、本実施形態の指定文字特定手段３６は、表示画面１３ａを各構文単位が表示される矩形の構文単位領域Ｋ１〜Ｋｎに区画し、軌跡Ｔの始点が位置する行Ｌ１〜Ｌ９内にある構文単位領域Ｋ１〜Ｋｎであって、構文単位領域Ｋ１〜Ｋｎ内における軌跡Ｔの字送り方向（行方向に垂直な方向）の寸法が、構文単位領域Ｋ１〜Ｋｎの字送り方向寸法の所定割合以上である場合に、その構文単位領域Ｋ１〜Ｋｎ内の構文単位を指定文字として特定するものとされている。なお、上記構文単位領域Ｋ１〜Ｋｎは、各構文単位を構成する文字についての文字表示領域Ｒを併せた領域である。ユーザーの意図した文字を適切に指定文字として特定することを可能とするためには、上記所定割合は、３０〜８０％程度とすることが好ましく、本実施形態では４０％されている。
【００９１】
図９（Ａ）は、指定文字特定手段３６による指定文字の特定の態様を示す説明図であり、この図では、文章表示部６１において、文章データＤａ中の区切り情報Ｄ１、Ｄ２・・・により規定される構文単位のいくつか（「メロス」、「は」、「かの」、「邪智暴虐」及び「除かなければ」の５つの構文単位）についての構文単位領域Ｋ１〜Ｋ５が枠線により示されている。
【００９２】
図中、Ｔａ〜Ｔｃは、軌跡表示手段３４により描画された軌跡であり、その上端及び下端の黒丸は、それぞれ軌跡Ｔａ〜Ｔｃの始点及び終点である。
【００９３】
軌跡Ｔａに関しては、始点が位置する行Ｌ１内において、軌跡Ｔａが通過する構文単位領域はＫ１及びＫ２の２つである。構文単位領域Ｋ１内における軌跡Ｔａの字送り方向（図中の矢印Ｘ方向）の寸法は、当該構文単位領域Ｋ１の字送り方向寸法の４０％以上であるが、構文単位領域Ｋ２内における軌跡Ｔａの字送り方向寸法は、構文単位領域Ｋ２内の字送り方向寸法の４０％に満たない。このため、軌跡表示手段３４により軌跡Ｔａが描画された場合には、指定文字特定手段３６は、構文単位領域Ｋ１内の構文単位である「メロス」のみを指定文字として特定する。
【００９４】
軌跡Ｔｂに関しては、軌跡Ｔｂが蛇行して、始点が位置する行Ｌ２の隣の行Ｌ１における構文単位領域Ｋ２を通過しているが、指定文字特定手段３６は、軌跡の始点が位置する行内においてのみ指定文字の特定を行うため、構文単位領域Ｋ２内の構文単位である「は」は指定文字としては特定されない。軌跡Ｔｂの始点が位置する行Ｌ２においては、２つの構文単位領域Ｋ３及びＫ４内における軌跡Ｔｂの字送り方向寸法が、それぞれの構文単位領域Ｋ３及びＫ４の字送り方向寸法の４０％以上であるため、指定文字特定手段３６は、これらの構文単位領域Ｋ３及びＫ４内の構文単位である「かの」及び「邪智暴虐」を指定文字として特定する。
【００９５】
軌跡Ｔｃに関しては、始点が位置する行Ｌ２内において軌跡Ｔｃが通過する構文単位領域はＫ５のみである。ここで、構文単位領域Ｋ５内の構文単位である「除かなければ」は、行Ｌ２及び行Ｌ３の２行に渡って表示されているが、構文単位領域Ｋ５内における軌跡Ｔｃの字送り方向寸法は、当該構文単位領域Ｋ５の字送り方向寸法の４０％以上であるため、指定文字特定手段３６は、構文単位領域Ｋ５内の構文単位である「除かなければ」を指定文字として特定する。
【００９６】
図９（Ｂ）は、指定文字特定手段３６により指定文字記録手段４２に記録されるマーキングデータＭＤのデータ内容を概念的に示す説明図である。
【００９７】
図示のように、マーキングデータＭＤは、「データ番号」、「開始識別番号」、「終了識別番号」、「色情報」及び「形状情報」の５つのデータ要素から構成されている。
【００９８】
ここで、「データ番号」は、各マーキングデータＭＤに付される連番である。
【００９９】
「開始識別番号」及び「終了識別番号」は、指定文字を構成する構文単位のうちの最初の構文単位及び最後の構文単位の識別番号であり、例えば、「データ番号」が「３」のマーキングデータＭＤでは、識別番号が「９」の構文単位から識別番号が「１０」の構文単位までの「かの暴虐那智」の６文字が指定文字であることが示されており、「データ番号」が「６」のマーキングデータＭＤでは、識別番号が「５７」の構文単位から識別番号が「６２」の構文単位までの「人一倍に敏感であった」の１０文字が指定文字であることが示されている。従って、「開始識別番号」及び「終了識別番号」が同一であるマーキングデータＭＤ（例えば、「データ番号」が「１」、「２」、「４」のマーキングデータＭＤ）では、単一の構文単位が指定文字として特定されていることになる。
【０１００】
「色情報」及び「形状情報」は、マーキング態様指定手段３２ａにより受け付けられたマーキングＭの表示色及び形状を示している。
【０１０１】
指定文字特定手段３６は、図９（Ａ）について上記した態様で指定文字を特定する毎に、図９（Ｂ）の態様のマーキングデータＭＤを指定文字記録手段４２に記録する処理を実行する。
【０１０２】
なお、指定文字特定手段３６は、新たに指定文字記録手段４２に記録するマーキングデータＭＤにおける指定文字が、既に指定文字記録手段４２に記録されたマーキングデータＭＤにおける指定文字と同一であるか、或いはその前後の構文単位を含んでおり、両マーキングデータＭＤの「色情報」及び「形状情報」が同一である場合には、その２つのマーキングデータＭＤを単一のマーキングデータＭＤに書き替える処理を実行する。例えば、図９（Ｂ）における「データ番号」が「１」のマーキングデータＭＤが既に指定文字記録手段４２に記録されている状態で、「色情報」を「赤」、「形状情報」を「直線」として識別番号が「２」である構文単位「は」が新たに指定文字として特定された場合には、「データ番号」が「１」のマーキングデータＭＤにおける「終了識別番号」を「２」に書き替える処理が実行される。
【０１０３】
その一方で、指定文字特定手段３６は、新たに指定文字記録手段４２に記録するマーキングデータＭＤにおける指定文字が、既に指定文字記録手段４２に記録されたマーキングデータＭＤにおける指定文字と同一であっても、「色情報」又は「形状情報」が相違している場合には、当該新たなマーキングデータＭＤは、既に指定文字記録手段４２に記録されたマーキングデータＭＤとは独立のデータとして指定文字記録手段４２に記録される。例えば、図９（Ｂ）における「データ番号」が「１」及び「２」のマーキングデータＭＤが既に指定文字記録手段４２に記録されている状態で、識別番号１の「メロス」の構文単位が新たに指定文字として特定された場合でも、「色情報」が「青」、或いは「形状情報」が「丸囲み」である場合には、そのマーキングデータＭＤは、「データ番号」が「１」及び「２」のマーキングデータＭＤとは独立のデータとして指定文字記録手段４２に記録される。
【０１０４】
また、補助機能処理手段３２ｂにより対比指定文字記録手段４３に記録される手本マーキングデータＧＭＤ及びマーキングデータＭＤは、図９（Ｂ）について上記したマーキングデータＭＤと同様のデータ形式を有している。解説データＧＣは、各手本マーキングデータＧＭＤについてのマーキングを行った理由などを説明する文章よりなるテキストデータであり、各解説データＧＣは、それぞれの手本マーキングデータＧＭＤのデータ番号と関連付けて対比指定文字記録手段４３に記録される。
【０１０５】
マーキング手段３７は、指定文字記録手段４２に記録されたマーキングデータＭＤに従って文章表示部６１においてマーキングＭを表示する処理を実行するものである。
【０１０６】
図１０（Ａ）は、図９（Ｂ）のマーキングデータＭＤが指定文字記録手段４２に記録されている場合の文章表示部６１におけるマーキングの表示態様を示す説明図であり、図中のマーキングＭ１〜Ｍ６は、それぞれ図９（Ｂ）における「データ番号」が「１」〜「６」のマーキングデータＭＤに対応する。図１０（Ａ）中の符号Ｍ１〜Ｍ６の下部に示した（ｒ）、（ｂ）及び（ｇ）の符号は、それぞれ、マーキングＭ１〜Ｍ６の表示色が「赤」、「青」及び「緑」であることを示している。マーキング手段３７により表示されるマーキングＭ１〜Ｍ６は、文字表示領域Ｒにおける位置（例えば、文字表示領域Ｒの右端からのポイント数）、線幅、形状が「丸囲み」のマーキングＭ（例えば、マーキングＭ５）の場合における上下の曲率などが規格化されている。
【０１０７】
このように、本実施形態の情報表示装置１０では、表示画面１３ａ上でのスタイラス１７による指示点の移動軌跡（例えばＴａ）が軌跡表示手段３４により描画され、スタイラス１７が表示画面１３ａから離間した時点で入力完了検出手段３５が指定入力の完了を検知し、軌跡表示手段３４により描画された軌跡（例えばＴａ）が消去されるとともに、マーキング手段３７によるマーキング（例えばＭ１）が新たに表示される。従って、フリーハンド的なラインである軌跡が、整形され、或いは規格化されたマーキングに変換される様によって、ユーザーはマーキングを楽しく行うことができ、或いはマーキングを行うことに爽快感或いは気持ち良さを感じることができる。
【０１０８】
マーキング消去手段３８は、マーキング態様指定手段３２ａから消去信号を受信することにより起動し、当該信号を受信した以降にスタイラス１７により指定されたマーキングＭについてのマーキングデータＭＤを指定文字記録手段４２から消去する処理を実行する。これにより、文章表示部６１における当該マーキングＭの表示が消去されることになる。なお、どのような態様の操作が行われた場合に、消去対象のマーキングＭの指定がなされたものとするかは任意であるが、本実施形態におけるマーキング消去手段３８は、表示画面１３ａ上におけるマーキングＭの表示部位の１点にでもスタイラス１７がタッチしたこと場合には、そのマーキングＭを消去するものとされており、例えば、マーキング消去手段３８が消去信号を受信した後に、スタイラス１７で図１０（Ａ）に示す軌跡Ｔｄが描かれた場合には、マーキング消去手段３８により、マーキングＭ１〜Ｍ３及びＭ５についてのマーキングデータＭＤを指定文字記録手段４２から消去する処理が実行され、それまでマーキング手段３７により表示されていたこれらのマーキングＭ１〜Ｍ３及びＭ５が表示画面１３ａ上で消去される。
【０１０９】
マーキング対比手段３９は、補助機能処理手段３２ｂからの対比信号を受信した場合に起動し、対比モードでの文章画面６０の表示を実行するものである。即ち、マーキング対比手段３９は、補助機能処理手段３２ｂにより対比指定文字記録手段４３に記録された手本マーキングデータＧＭＤ又はマーキングデータＭＤに基づいて、文章画面６０において対比マーキングＣＭを表示させる処理を実行する。
【０１１０】
図１０（Ｂ）は、マーキング対比手段３９により対比マーキングＣＭ１〜ＣＭ４が表示された状態の文章画面６０の例示的な態様を示す説明図である。
【０１１１】
図示のように、対比モードにおける文章画面６０では、指定文字記録手段４２に記録されたマーキングデータＭＤに基づくマーキングＭ１〜Ｍ６が、図１０（Ａ）について上記したと同様の態様でマーキング手段３７により表示されるとともに、対比指定文字記録手段４３に記録された手本マーキングデータＧＭＤ又はマーキングデータＭＤに基づく対比マーキングＣＭ１〜ＣＭ４がマーキング対比手段３９により表示されている。
【０１１２】
ここで、対比マーキングＣＭをどのような表示態様で表示するかは任意であるが、本実施形態のマーキング対比手段３９は、紙上に印刷された文章上の蛍光ペンでのマーキングのような雰囲気で、手本マーキングデータＧＭＤ又はマーキングデータＭＤにおける指定文字の背景色を変更させる態様のマーキングを表示するものとされている。図１０（Ｂ）中の符号ＣＭ１〜ＣＭ４の下部に示した（ｒ）、（ｂ）及び（ｇ）は、それぞれ、対比マーキングＭ１〜Ｍ６における上記背景色がそれぞれ「赤」、「青」及び「緑」であることを示している。
【０１１３】
このように、対比指定文字記録手段４３に記録された手本マーキングデータＧＭＤ又はマーキングデータＭＤについての対比マーキングＣＭが、指定文字記録手段４２に記録されたマーキングデータＭＤについてのマーキングＭとは異なる態様で表示されるために、ユーザーは、自身が行ったマーキングＭを他のユーザーが行った対比マーキングＣＭ（又は手本となるマーキングＣＭ）と対比しながら読書を行うことができ、或いは以前にこの文章を読んだときに行った対比マーキングＣＭと今回行ったマーキングＭとを対比しながら読書を行うことが可能である。
【０１１４】
なお、対比指定文字記録手段４３に記録されたデータがマーキングデータＭＤである場合には、当該各マーキングデータＭＤは「形状情報」も有しているが、本実施形態のマーキング対比手段３９は、文章画面６０の表示が煩雑になることを防止するために、各マーキングデータＭＤの「形状情報」の如何に関わらず、上記の統一された形状の対比マーキングＣＭを表示するものとされている。
【０１１５】
また、各対比マーキングＣＭ１〜ＣＭ４の左肩位置に表示される「ｉ」のマークは、対比指定文字記録手段４３に記録されたデータが手本マーキングデータＧＭＤであった場合に各対比マーキングＣＭ１〜ＣＭ４についての解説を表示させるためのアイコンであり、このアイコン「ｉ」がスタイラス１７によりタッチされた場合には、マーキング対比手段３９は、対応する手本マーキングデータＧＭＤの「データ番号」に対応付けられた解説データＧＣを、例えば表示画面１２ａ上においてテキスト表示させる処理を実行する。
【０１１６】
クイズ手段４０は、動作選択手段３０からのクイズ信号を受信した場合に表示画面１３ａ上においてクイズの出題を表示する処理を実行するものであり、クイズ記録手段４０ａ、クイズ出題手段４０ｂ、指示点検出手段４０ｃ、軌跡表示手段４０ｄ、解答入力完了検出手段４０ｅ、解答特定手段４０ｆ、解答表示手段４０ｇ及び正否判定手段４０ｈを備えている。
【０１１７】
ここで、クイズ記録手段４０ａには、複数種類のクイズ問題と、それぞれのクイズ問題に対応する解答がテキスト形式で記録されており、クイズ出題手段４０ｂは、当該クイズ記録手段４０ａに記録されるクイズ問題が表示されるクイズ画面７０を表示画面１３ａに表示させる処理を実行する。
【０１１８】
図１１（Ａ）は、例示的なクイズ画面７０を示す説明図である。
【０１１９】
図示のように、クイズ画面７０には、クイズ記録手段４０ａに記録されるいずれかのクイズ問題の少なくとも一部がテキストで表示される問題表示欄７０ａと、ユーザーにより入力される解答を表示する解答表示欄７０ｂとを有している。
【０１２０】
指示点検出手段４０ｃ、軌跡表示手段４０ｄ、解答入力完了検出手段４０ｅ及び解答特定手段４０ｆは、表示画面１３ａに上記クイズ画面７０が表示されている状態で動作し、それぞれ、指示点検出手段３３、軌跡表示手段３４、入力完了検出手段３５及び指定文字特定手段３６と同様の処理を実行することにより、ユーザーによる解答を受け付けるものである。即ち、クイズ記録手段４０ａのクイズ問題は、文章データＤａ〜Ｄｎと同様、所定の構文単位毎に区切り情報が設定された状態で記録されており、指示点検出手段４０ｃが表示画面１３ａ上でのスタイラス１７による指示点を検出し、軌跡表示手段４０ｄが当該指示点の移動軌跡Ｔｅをクイズ画面７０ａ上に表示し、スタイラス１７が表示画面１３ａから離間したなどを条件として解答入力完了検出手段４０ｅが解答入力の完了を検出し、解答特定手段４０ｆは、指定文字特定手段３６と同様の態様でユーザーにより指定された１又は複数の文字を上記構文単位で特定する処理を実行する。
【０１２１】
そして、解答表示手段４０ｇは、解答特定手段４０ｆにより特定された文字を解答表示欄７０ｂに表示し、正否判定手段４０ｈは、解答特定手段４０ｆにより特定された文字をクイズ記録手段４０ａに記録される解答と照らし合わせることにより、ユーザーの解答の正否を判定し、その正否に応じた「正解」、「間違い」などの表示をクイズ画面７０に表示させる処理を実行する。
【０１２２】
図１２は、マーキング態様指定手段３２ａによりマーキングＭの表示色及び形状の指定がなされた状態におけるマーキング表示処理の流れを示すフローチャートである。
【０１２３】
処理が開始されると、ステップＳ１において入力中フラグＦをオフにセットし、カウンタＮをゼロにセットするなどの初期化処理が実行され、続くステップＳ２では、入力中フラグＦの検査が実行される。
【０１２４】
ステップＳ２における検査の結果、入力中フラグＦがオフである場合には、処理はステップＳ３に移行し、指示点検出手段３３が、タッチパネル１３ｂからの信号に基づいてスタイラス１７による表示画面１３ａへの接触の有無の検査を実行する。
【０１２５】
そして、ステップＳ３においてスタイラス１７の接触が検出された場合には、ステップＳ４において入力中フラグＦをオンにセットする処理を実行し、スタイラス１７の接触が検出されなかった場合には、ステップＳ４を実行することなく、処理をステップＳ１７に移行させる。
【０１２６】
また、ステップＳ２において、入力中フラグＦがオンであった場合には、処理はステップＳ５に移行し、指示点検出手段３３が、タッチパネル１３ｂからの信号に基づいてスタイラス１７による表示画面１３ａへの接触の有無の検査を実行する。
【０１２７】
そして、ステップＳ５においてスタイラス１７の接触が検出された場合には、処理はステップＳ６に移行し、上記タッチパネル１３ｂからの信号に基づいて、指示点検出手段３３が指示点のＸＹ座標値を導出し、ステップＳ７において当該指示点（の座標値）が軌跡表示手段３４及び指定文字特定手段３６に通知される。続くステップＳ８では、軌跡表示手段３４が動作し、ステップＳ７において通知された指示点に所定のポイントサイズで所定色のドットを描画する処理を実行することにより、軌跡Ｔの描画が行われる。
【０１２８】
一方、ステップＳ５においてスタイラス１７の接触が検出されなかった場合には、処理はステップＳ９に移行してカウンタＮを「１」増分する処理が実行され、ステップＳ１０では入力完了検出手段３５が動作して、当該カウンタＮが所定の閾値Ｎｔｈ（例えば「５」）と対比する処理が実行される。
【０１２９】
そして、カウンタＮが閾値Ｎｔｈ以上である場合には、ユーザーによる指定入力が完了したものと判断できるため、ステップＳ１１において入力中フラグＦ及びカウンタＮの初期化が行われた後に、ステップＳ１２において入力完了信号が軌跡表示手段３４及び指定文字特定手段３６に送信される。
【０１３０】
ステップＳ１３では、軌跡表示手段３４が動作し、ステップＳ４において入力中フラグＦがオンにセットされた以降の各フレーム時間におけるステップＳ８において描画された全てのドットを消去する軌跡Ｔの消去処理が実行される。
【０１３１】
続くステップＳ１４では、指定文字特定手段３６が動作し、図９（Ａ）について上記した態様で指定文字の特定処理を実行し、ステップＳ１５では、特定された指定文字についてのマーキングデータＭＤが指定文字記録手段４２に記録される。
【０１３２】
ステップＳ１６では、マーキング手段３７が動作し、指定文字記録手段４２に記録される各マーキングデータＭＤについてのマーキングＭを文章表示部６１に表示させる処理が実行される。
【０１３３】
ステップＳ１７では、所定のフレーム時間（例えば、１／６０秒）の待受処理が実行された後、次のフレーム時間におけるマーキング表示処理を実行すべく処理をステップＳ２に復帰させる。
【０１３４】
以上、例示的な実施形態に基づいて本発明を説明したが、本発明は上記実施形態により限定されるものではなく、特許請求の範囲の記載内において種々の変更、改変を行うことが可能である。
【０１３５】
例えば、上記実施形態では、ゲーム装置として使用可能な携帯型端末に本発明を適用する場合について説明したが、表示装置と、当該表示装置の表示画面上の指示点を指定するためのポインティング装置とを有する限り、ＰＤＡやパームトップ型パソコンなど他の携帯型端末や、据え置き型のパソコン、家庭用ゲーム装置、業務用ゲーム装置などに本発明を適用することも可能である。
【０１３６】
また、上記実施形態では、表示装置において日本語の文章が示される場合を例として説明したが、表示装置に表示される文章は日本語以外でも良く、表示装置において日本語又は他の言語の文章に加えて、図表などのグラフィックデータが表示される情報表示装置、方法、プログラム又はその媒体に本発明を適用することも可能である。この場合、所定の操作に応答して図表を指定可能とし、当該指定した図表に対して整形され、或いは規格化された態様のマーキングを表示するよう構成することも可能である。また、上記実施形態に示したように、文章は縦書き表示であっても、横書き表示であってもよい。
【０１３７】
また、上記実施形態では、指示点の指定入力が、タッチパネルに対するスタイラスの操作により行われる場合について説明したが、マウスなどの他のポインティング装置を用いて指示点の指定入力が行われるようにしても構わない。また、指示点の指定入力以外の操作に関しては、ポインティング装置以外の操作部材から入力されるものとすることも可能である。
【０１３８】
また、上記実施形態では、記録媒体としてＲＯＭとＲＡＭを使用したが、これらに限らず、フラッシュメモリなどの他の半導体メモリや、ハードディスクなどの磁気記憶装置や、光記憶装置など、他の記憶装置であってもよい。
【０１３９】
また、上記実施形態では、マーキングの表示又はクイズへの解答を目的として指定文字の特定がなされる場合について説明したが、本発明を、上記以外の目的のために指定文字の特定を行うものとすることも可能である。
【０１４０】
また、上記実施形態では、指定文字の特定が単語や文節などの構文単位で行われる場合について説明したが、どのような単位で指定文字の特定を行うかは任意である。
【０１４１】
その他、上記した実施形態におけるマーキングの形態（形状や表示色）、装置構成や機能構成、具体的な処理の内容、表示装置における画面構成等は単なる例として記載したものであり、本発明はこれらにより限定されない。
【図面の簡単な説明】
【０１４２】
【図１】本発明の１実施形態に係る情報表示装置の外観構成を示す説明図。
【図２】本発明の１実施形態に係る情報表示装置のハードウェア構成を示す説明図。
【図３】本発明において使用できるメモリーカードに記録されるデータ構成を示す説明図。
【図４】本発明の１実施形態に係る情報表示装置における文章データの例示的なデータ形式を示す説明図。
【図５】本発明の１実施形態に係る情報表示装置の機能構成を示す説明図。
【図６】本発明の１実施形態に係る情報表示装置に表示される例示的な画像構成を示す説明図。
【図７】本発明の１実施形態に係る情報表示装置に表示される例示的な画像構成を示す説明図。
【図８】本発明の１実施形態に係る情報表示装置に表示される例示的な画像構成を示す説明図。
【図９】（Ａ）は、本発明における指定文字の特定の態様を示す説明図。（Ｂ）は、本発明の指定文字記録手段に記録されるマーキングデータのデータ内容を示す説明図。
【図１０】本発明の１実施形態に係る情報表示装置に表示される例示的な画像構成を示す説明図。
【図１１】本発明の１実施形態に係る情報表示装置に表示される例示的な画像構成を示す説明図。
【図１２】本発明におけるマーキング表示処理の流れを示すフローチャート。
【符号の説明】
【０１４３】
１０・・・情報表示装置、１１ａ・・・上側筐体、１１ｂ・・・下側筐体、１２・・・表示装置、１２ａ・・・表示画面、１３・・・表示装置、１３ａ・・・表示画面、１３ｂ・・・タッチパネル、１４ａ〜１４ｊ・・・操作部材、１５・・・スピーカ口、１５ａ、１５ｂ・・・スピーカ、１６・・・メモリーカード、１７・・・スタイラス、２１・・・ＣＰＵ、２２・・・システムバス、２３・・・ＲＯＭ、２４・・・ＲＡＭ、２５ａ・・・第１ＧＰＵ、２５ｂ・・・第２ＧＰＵ、２６・・・記録媒体ドライブ、２７・・・入出力回路、２８ａ・・・第１ＶＲＡＭ、２８ｂ・・・第２ＶＲＡＭ、２９・・・入出力コントローラ、３０・・・動作選択手段、３１・・・文章表示手段、３２・・・メニュー処理手段、３２ａ・・・マーキング態様指定手段、３２ｂ・・・補助機能処理手段、３２ｃ・・・表示設定手段、３３・・・指示点検出手段、３４・・・軌跡表示手段、３５・・・入力完了検出手段、３６・・・指定文字記録手段、３７・・・マーキング手段、３８・・・マーキング消去手段、３９・・・マーキング対比手段、４０・・・クイズ手段、４０ａ・・・クイズ記録手段、４０ｂ・・・クイズ出題手段、４０ｃ・・・指示点検出手段、４０ｄ・・・軌跡表示手段、４０ｅ・・・解答入力完了検出手段、４０ｆ・・・解答特定手段、４０ｇ・・・解答表示手段、４０ｈ・・・正否判定手段、４１・・・文章記録手段、４２・・・指定文字記録手段、４３・・・対比指定文字記録手段、５０・・・メインメニュー画面、５１・・・文章選択画面、６０・・・文章画面、６１・・・文章表示部、６２・・・メニュー部、６３、６４・・・メニューパレット、６５、６６・・・サブメニュー、７０・・・クイズ画面、Ｍ、Ｍ１〜Ｍ６・・・マーキング、ＣＭ、ＣＭ１〜ＣＭ４・・・対比マーキング、Ｔ、Ｔａ〜Ｔｄ・・・軌跡、Ｋ１〜Ｋ５・・・構文単位領域、Ｐ・・・情報表示プログラム
【図１】
2008234085.tif 000003
【図２】
2008234085.tif 000004
【図３】
2008234085.tif 000005
【図４】
2008234085.tif 000006
【図５】
2008234085.tif 000007
【図６】
2008234085.tif 000008
【図７】
2008234085.tif 000009
【図８】
2008234085.tif 000010
【図９】
2008234085.tif 000011
【図１０】
2008234085.tif 000012
【図１１】
2008234085.tif 000013
【図１２】
2008234085.tif 000014